(57)【要約】【課題】建物とデザイン的に調和する空気調和機を提供する。【解決手段】空気調和機１０は、外気取り込み口１２ｅと、外気と熱交換する外気用熱交換器１８と、外気排出口１２ｆと、鉛直方向の回転中心線Ｃ１中心に回転して外気Ａ１を流すためのクロスフローファン２０と、室内空気吸い込み口１２ｇと、室内空気と熱交換する室内空気用熱交換器２２と、室内空気吹き出し口１２ｈと、室内空気Ａ２を流すための室内空気用ファン２４と、壁Ｗの吸い込み穴４２ａと室内空気吸い込み口１２ｇとを連絡する吸い込み用内部流路４０ａおよび壁Ｗの吹き出し穴４２ｂと室内空気吹き出し口１２ｈとを連絡する吹き出し用内部流路４０ｂを備える連結部４０とを有する。筐体１２と壁Ｗとをその対向方向に見たときにおける該筐体１２の背後側に、外気取り込み口１２ｅ、外気排出口１２ｆ、室内空気吸い込み口１２ｇ、および室内空気吹き出し口１２ｈが形成されている。【選択図】図１
2015203512.tif 000002
【特許請求の範囲】
【請求項１】
室内と室外とを連絡する吸い込み穴および吹き出し穴を備える壁に対して間隔をあけて接近した状態で配置される一体型空気調和機であって、
筐体と、
筐体に形成され、外気を取り込む外気取り込み口と、
筐体内に収容され、外気と熱交換する外気用熱交換器と、
筐体に形成され、外気用熱交換器と熱交換した後の外気を排出する外気排出口と、
外気取り込み口、外気用熱交換器、外気排出口の順に外気が流れる流れを発生させる、鉛直方向に延在する回転中心線を中心として回転するクロスフローファンと、
筐体に形成され、壁の吸い込み穴を介して室内空気を吸い込む室内空気吸い込み口と、
筐体内に収容され、外気用熱交換器と冷媒管を介して接続され、室内空気と熱交換する室内空気用熱交換器と、
筐体に形成され、室内空気用熱交換器と熱交換した後の室内空気を壁の吹き出し穴を介して室内に吹き出す室内空気吹き出し口と、
室内空気吸い込み口、室内空気用熱交換器、室内空気吹き出し口の順に室内空気が流れる流れを発生させる室内空気用ファンと、
壁の吸い込み穴と筐体の室内空気吸い込み口とを連絡する吸い込み用内部流路および壁の吹き出し穴と筐体の室内空気吹き出し口とを連絡する吹き出し用内部流路を備える連結部と、を有し、
筐体と壁とが対向する方向に該筐体と壁とを見たときにおける該筐体の背後側に、外気取り込み口、外気排出口、室内空気吸い込み口、および室内空気吹き出し口が形成されている、一体型空気調和機。
【請求項２】
筐体が、直方体形状であって、壁と平行に且つ間隔をあけて対向する背面と、背面に平行な正面と、正面と背面との間に位置する第１の側面および第２の側面とを備え、
室内空気吸い込み口および室内空気吹き出し口の両方が背面、第１の側面、および第２の側面のいずれか一つに形成され、
外気取り込み口が背面および第１の側面の少なくとも一方に形成され、
外気排出口が背面および第２の側面の少なくとも一方に形成されている、請求項１に記載の一体型空気調和機。
【請求項３】
外気排出口が、背面に形成されている、請求項２に記載の一体型空気調和機。
【請求項４】
外気排出口が、外気取り込み口に対して離間する方向に熱交換後の外気を排出するように構成されている、請求項１または２に記載の一体型空気調和機。
【請求項５】
外気排出口と外気取り込み口との間の筐体の部分から筐体の外部に向かって突出し、外気排出口から外気取り込み口に向かう外気の流れを遮断する遮断壁部が筐体に設けられている、請求項１から４のいずれか一項に記載の一体型空気調和機。
【請求項６】
連結部内において吸い込み用内部流路および吹き出し用内部流路が第１の方向に並んだ状態で平行に延在し、
連結部が第１の方向に延在する一対の辺と該第１の方向に対して直交する第２の方向に延在する一対の辺を備える四角形形状の断面を備え、
連結部の外側表面、吸い込み用内部流路、および吹き出し流路の間に断熱材が充填され、
連結部の断面の第２の方向の大きさに対する第１の方向の大きさの比が、１〜２の範囲である、請求項１から５のいずれか一項に記載の一体型空気調和機。
【請求項７】
筐体と対向する壁に嵌め込まれ、壁の一部を構成する流路構造体を有し、
流路構造体が、吸い込み穴および吹き出し穴を備える、請求項１から６のいずれか一項に記載の一体型空気調和機。
【請求項８】
連結部と流路構造体とが一体的に構成されている、請求項７に記載の一体型空気調和機。
【請求項９】
室内空気吸い込み口と室内空気用熱交換器との間に鉛直方向に延在する第１の直線状流路を備え、
室内空気用ファンと室内空気吹き出し口との間に鉛直方向に延在する第２の直線状流路を備え、
第１および第２の直線状流路を分断するように、筐体が、室内空気吸い込み口および室内空気吹き出し口を備える上側ユニットと室内空気用熱交換器および室内空気ファンを備える下側ユニットとに分割可能に構成され、
上側ユニットと下側ユニットとの間に選択的に配置され、上側ユニット側の第１および第２の直線状流路の部分それぞれと、下側ユニット側の第１および第２の直線状流路の部分それぞれとを連絡する２つの延長流路を備えた延長ユニットを有する、請求項１から８のいずれか一項に記載の一体型空気調和機。
【発明の詳細な説明】
【技術分野】
【０００１】
本発明は、外気と熱交換する外気用熱交換器および室内空気と熱交換する室内空気用熱交換器が一つの筐体に収容されている一体型空気調和機に関する。
【背景技術】
【０００２】
従来より、外気と熱交換する外気用熱交換器と室内空気と熱交換する室内空気用熱交換器とが一つの筐体に収容されている一体型空気調和機が存在する（例えば特許文献１参照）。
【０００３】
特許文献１に記載された空気調和機のように、一体型空調和機は、室外に配置される筐体を有する。その筐体内に、外気と熱交換する外気用熱交換器と、外気用熱交換器に冷媒管を介して接続され、室内空気と熱交換する室内空気用熱交換器とが収容されている。また、筐体内には、外気用熱交換器を通過する外気の流れを発生させる外気用ファンと、室内空気用交換器を通過する室内空気の流れを発生させる室内空気用ファンとが収容されている。
【０００４】
また、このような一体型空気調和機は、室外と室内とを隔てる住居などの建物の壁に形成された貫通穴状の吸い込み穴および吹き出し穴の近傍に、すなわち壁の外側面に接近した状態で設置される。それにより、一体型空気調和機は、吸込み穴に接続された吸い込みダクトを介して室内空気を吸い込み、室内用熱交換器と熱交換された後の室内空気を吹き出し穴に接続された吹き出しダクトを介して室内に吹き出す。
【先行技術文献】
【特許文献】
【０００５】
【特許文献１】実公平０７−１８９０６号公報
【発明の概要】
【発明が解決しようとする課題】
【０００６】
ところで、一体型空気調和機の前側に、外気用ファンを介して筐体内に外気を取り込むための外気取り込み口や外気用熱交換器と熱交換した後の外気を排出するための外気排出口が形成されている場合、その外気取り込み口や外気排出口とにより、一体型空気調和機と住居などの建物の壁とがデザイン的に調和せず、建物のデザイン性が損なわれる可能性がある。
【０００７】
特に、外気用ファンとしてプロペラファンが使用され、そのために筐体内に外気を取り込むための外気取り込み口が円形状に筐体の前側に形成されている場合、その円形状の外気取り込み口により、建物のデザイン性が損なわれる可能性がある。
【０００８】
また、一体型空気調和機と壁の吸い込み穴および吹き出し穴それぞれとを連結する２本のダクトにより、建物のデザイン性が損なわれる可能性がある。
【０００９】
そこで、本発明は、一体型空気調和機によって建物のデザイン性が損なわれることを抑制することを課題とする。
【課題を解決するための手段】
【００１０】
上述の課題を解決するために、本発明の一態様によれば、
室内と室外とを連絡する吸い込み穴および吹き出し穴を備える壁に対して間隔をあけて接近した状態で配置される一体型空気調和機であって、
筐体と、
筐体に形成され、外気を取り込む外気取り込み口と、
筐体内に収容され、外気と熱交換する外気用熱交換器と、
筐体に形成され、外気用熱交換器と熱交換した後の外気を排出する外気排出口と、
外気取り込み口、外気用熱交換器、外気排出口の順に外気が流れる流れを発生させる、鉛直方向に延在する回転中心線を中心として回転するクロスフローファンと、
筐体に形成され、壁の吸い込み穴を介して室内空気を吸い込む室内空気吸い込み口と、
筐体内に収容され、外気用熱交換器と冷媒管を介して接続され、室内空気と熱交換する室内空気用熱交換器と、
筐体に形成され、室内空気用熱交換器と熱交換した後の室内空気を壁の吹き出し穴を介して室内に吹き出す室内空気吹き出し口と、
室内空気吸い込み口、室内空気用熱交換器、室内空気吹き出し口の順に室内空気が流れる流れを発生させる室内空気用ファンと、
壁の吸い込み穴と筐体の室内空気吸い込み口とを連絡する吸い込み用内部流路および壁の吹き出し穴と筐体の室内空気吹き出し口とを連絡する吹き出し用内部流路を備える連結部と、を有し、
筐体と壁とが対向する方向に該筐体と壁とを見たときにおける該筐体の背後側に、外気取り込み口、外気排出口、室内空気吸い込み口、および室内空気吹き出し口が形成されている、一体型空気調和機が提供される。
【発明の効果】
【００１１】
本発明によれば、一体型空気調和機によって建物のデザイン性が損なわれることを抑制することができる。
【図面の簡単な説明】
【００１２】
【図１】本発明の実施の形態１に係る一体型空気調和機の概略的な斜視図
【図２】一体型空気調和機を前側から見た図であって、一体型空気調和機の内部の構成を概略的に示す断面図
【図３】一体型空気調和機を横側から見た図であって、一体型空気調和機の内部の構成を概略的に示す断面図
【図４】図３に示すＧ−Ｇ線に沿った断面図
【図５】連結部の断面図
【図６】連結部のアスペクト比と圧力損失との関係を示すグラフ
【図７】連結部のアスペクト比と断熱材の容積との関係を示すグラフ
【図８】連結部のアスペクト比と該連結部の体積との関係を示すグラフ
【図９】流路構造体の斜視図
【図１０】一体型空気調和機の換気部の構成を概略的に示す断面図
【図１１】一体型空気調和機の筐体が分割された状態を示す部分断面図
【図１２】一体型空気調和機の筐体が分割された状態を示す部分斜視図
【図１３】本発明の実施の形態２に係る一体型空気調和機を前側から見た図であって、一体型空気調和機の内部の構成を概略的に示す断面図
【図１４】本発明の実施の形態２に係る一体型空気調和機を横側から見た図であって、一体型空気調和機の内部の構成を概略的に示す断面図
【図１５】本発明の実施の形態３に係る一体型空気調和機の外気熱交換部の水平面に沿った断面図
【図１６】本発明の実施の形態４に係る一体型空気調和機の外気熱交換部の水平面に沿った断面図
【図１７】本発明の実施の形態２に係る一体型空気調和機の変形例の一部を示す断面図
【発明を実施するための形態】
【００１３】
本発明の一態様は、室内と室外とを連絡する吸い込み穴および吹き出し穴を備える壁に対して間隔をあけて接近した状態で配置される一体型空気調和機であって、
筐体と、
筐体に形成され、外気を取り込む外気取り込み口と、
筐体内に収容され、外気と熱交換する外気用熱交換器と、
筐体に形成され、外気用熱交換器と熱交換した後の外気を排出する外気排出口と、
外気取り込み口、外気用熱交換器、外気排出口の順に外気が流れる流れを発生させる、鉛直方向に延在する回転中心線を中心として回転するクロスフローファンと、
筐体に形成され、壁の吸い込み穴を介して室内空気を吸い込む室内空気吸い込み口と、
筐体内に収容され、外気用熱交換器と冷媒管を介して接続され、室内空気と熱交換する室内空気用熱交換器と、
筐体にされ、室内空気用熱交換器と熱交換した後の室内空気を壁の吹き出し穴を介して室内に吹き出す室内空気吹き出し口と、
室内空気吸い込み口、室内空気用熱交換器、室内空気吹き出し口の順に室内空気が流れる流れを発生させる室内空気用ファンと、
壁の吸い込み穴と筐体の室内空気吸い込み口とを連絡する吸い込み用内部流路および壁の吹き出し穴と筐体の室内空気吹き出し口とを連絡する吹き出し用内部流路を備える連結部と、を有し、
筐体と壁とが対向する方向に該筐体と壁とを見たときにおける該筐体の背後側に、外気取り込み口、外気排出口、室内空気吸い込み口、および室内空気吹き出し口が形成されている、一体型空気調和機である。
【００１４】
本発明の一態様よれば、一体型空気調和機によって建物のデザイン性が損なわれることを抑制することができる。
【００１５】
例えば、筐体が、直方体形状であって、壁と平行に且つ間隔をあけて対向する背面と、背面に平行な正面と、正面と背面との間に位置する第１の側面および第２の側面とを備え、室内空気吸い込み口および室内空気吹き出し口の両方が背面、第１の側面、および第２の側面のいずれか一つに形成され、外気取り込み口が背面および第１の側面の少なくとも一方に形成され、外気排出口が背面および第２の側面の少なくとも一方に形成されている。
【００１６】
好ましくは、外気排出口が、背面に形成されている、これにより、筐体の少なくとも一方の側面に開口がなくなるため、建物のデザイン性が損なわれることが抑制される。
【００１７】
好ましくは、外気排出口が、外気取り込み口に対して離間する方向に熱交換後の外気を排出するように構成されている、これにより、外気排出口から排出された熱交換後の外気が外気取り込み口を介して筐体内に取り込まれることが抑制される。
【００１８】
外気排出口と外気取り込み口との間の筐体の部分から筐体の外部に向かって突出し、外気排出口から外気取り込み口に向かう外気の流れを遮断する遮断壁部を筐体に設けるのが好ましい。これにより、外気排出口から排出された熱交換後の外気が外気取り込み口を介して筐体内に取り込まれることがさらに抑制される。
【００１９】
好ましくは、連結部内において吸い込み用内部流路および吹き出し用内部流路が第１の方向に並んだ状態で平行に延在し、連結部が第１の方向に延在する一対の辺と該第１の方向に対して直交する第２の方向に延在する一対の辺を備える四角形形状の断面を備え、連結部の外側表面、吸い込み用内部流路、および吹き出し流路の間に断熱材が充填され、連結部の断面の第２の方向の大きさに対する第１の方向の大きさの比が、１〜２の範囲である。これにより、コンパクトで断熱効率に優れ、且つ圧力損失が小さい連結部が実現できる。
【００２０】
一体型空気調和機が筐体と対向する壁に嵌め込まれ、壁の一部を構成する流路構造体を有し、流路構造体が吸い込み穴および吹き出し穴を備えるのが好ましい。これにより、空気調和機の施工が容易になる。
【００２１】
連結部と流路構造体とが一体的に構成されているのが好ましい。これにより、連結部と流路構造体の間から室内空気が漏れることがなくなる。
【００２２】
室内空気吸い込み口と室内空気用熱交換器との間に鉛直方向に延在する第１の直線状流路を備え、室内空気用ファンと室内空気吹き出し口との間に鉛直方向に延在する第２の直線状流路を備え、第１および第２の直線状流路を分断するように、筐体が、室内空気吸い込み口および室内空気吹き出し口を備える上側ユニットと室内空気用熱交換器および室内空気ファンを備える下側ユニットとに分割可能に構成され、上側ユニットと下側ユニットとの間に選択的に配置され、上側ユニット側の第１および第２の直線状流路の部分それぞれと、下側ユニット側の第１および第２の直線状流路の部分それぞれとを連絡する２つの延長流路を備えた延長ユニットを一体型空気調和機は有するのが好ましい。これにより、室内空気吸い込み口および室内空気吹き出し口の鉛直方向位置を変更することができる。
【００２３】
以下、本発明の実施の形態について、図面を参照しながら説明する。
【００２４】
（実施の形態１）
図１は、本発明の実施の形態１に係る一体型空気調和機の斜視図である。
【００２５】
図１に示すように、一体型空気調和機１０は、室外に配置された状態で室内を空調するように構成されている。詳細は後述するが、一体型空気調和機１０は、室外と室内とを隔てる住居などの建物の壁Ｗの外側面Ｗ１に対して間隔をあけて接近した状態で室外に設置される。
【００２６】
図２は一体型空気調和機１０の内部の構成を概略的に示す該一体型空気調和機１０の前側から見た断面図、図３は一体型空気調和機１０の内部の構成を概略的に示す該一体型空気調和機１０の横側から見た断面図、図４は、一体型空気調和機１０の水平面に平行な断面であって、図３におけるＧ−Ｇ線に沿った断面図である。
【００２７】
なお、本明細書において、一体型空気調和機１０の「前側」は、一体型空気調和機１０と壁Ｗとの対向方向（Ｘ軸方向）に一体型空気調和機１０および壁Ｗを見たときに視認できる一体型空気調和機１０の部分（その筐体１２の部分）を言う。一方、一体型空気調和機１０の「背後側」は、一体型空気調和機１０と壁Ｗとの対向方向（Ｘ軸方向）に一体型空気調和機１０および壁Ｗを見たときに視認できない一体型空気調和機１０の部分（その筐体１２の部分）を言う。また、以下においては、一体型空気調和機１０を省略して「空気調和機１０」と称する。
【００２８】
本実施の形態１の空気調和機１０は、図１に示すように、鉛直方向（Ｚ軸方向）に大きい略直方体形状の筐体１２を有する。
【００２９】
筐体１２は、空気調和機１０が室外に設置されたときに壁Ｗの外側面Ｗ１に対して略平行に且つ間隔をあけて対向する背面１２ａと、背面１２ａに平行な正面１２ｂと、正面１２ｂと背面１２ａとの間に位置する左側面１２ｃおよび右側面１２ｄとを備える。
【００３０】
このような略直方体形状の筐体１２の場合、正面１２ｂが空気調和機１０の「前側」に相当し、背面１２ａ、左側面１２ｃ、および右側面１２ｄが空気調和機１０の「背後側」に相当する。すなわち、空気調和機１０と壁Ｗとの対向方向（Ｘ軸方向）に空気調和機１０および壁Ｗを見たときには、筐体１２の正面１２ｂは視認できるが、残りの背面１２ａ、左側面１２ｃ、および右側面１２ｄは視認できない。
【００３１】
また、筐体１２には、筐体１２内に外気Ａ１を取り込むための外気取り込み口１２ｅと、筐体１２内に取り込まれた外気Ａ１を筐体１２の外部に排出するための外気排出口１２ｆとが形成されている。
【００３２】
さらに、筐体１２には、室内空気Ａ２を筐体１２内に吸い込むための室内空気吸い込み口１２ｇと、筐体１２内に吸い込まれた室内空気Ａ２を筐体１２の外部に吹き出すための室内空気吹き出し口１２ｈとが形成されている。
【００３３】
本実施の形態１の場合、外気取り込み口１２ｅおよび外気排出口１２ｆは、複数のスロット状の開口が鉛直方向（Ｚ軸方向）および水平方向（Ｘ軸方向、Ｙ軸方向）に並ぶことによって構成されている。外気取り込み口１２ｅは、左側面１２ｃおよび背面１２ａそれぞれに形成されている。一方、外気排出口１２ｆは、背面１２ａと右側面１２ｄとの間の角部に形成されている。したがって、空気調和機１０と壁Ｗとの対向方向（Ｘ軸方向）に空気調和機１０および壁Ｗを見たときには、これらの外気取り込み口１２ｅおよび外気排出口１２ｆは視認されない。なお、外気排出口１２ｆは、背面１２ａと右側面１２ｄとの間の角部ではなく、右側面１２ｄのみに形成されてもよい。この場合、筐体１２の構造的な強度を向上させるための複数の支柱を、筐体１２の四隅に設けることができる。
【００３４】
また、本実施の形態１の場合、室内空気吸い込み口１２ｇおよび室内空気吹き出し口１２ｈは、水平方向（Ｙ軸方向）に長い長方形状の開口であって、筐体１２の背面１２ａに、鉛直方向（Ｚ軸方向）に並んだ状態で形成されている。また、本実施の形態１の場合、室内空気吸い込み口１２ｇが室内空気吹き出し口１２ｈの上側に位置する。したがって、空気調和機１０と壁Ｗとの対向方向（Ｘ軸方向）に空気調和機１０およびＷを見たときには、これらの室内空気吸い込み口１２ｇおよび室内空気吹き出し口１２ｈは視認されない。
【００３５】
図２および図３に示すように、空気調和機１０は、概略、外気Ａ１と熱交換を行うための外気熱交換部１０Ａ、室内空気Ａ２と熱交換を行うための室内空気熱交換部１０Ｂ、室内の換気を行うための換気部１０Ｃ、および制御基板１４、圧縮機１６などを収容する収容部１０Ｄから構成されている。
【００３６】
空気調和機１０の外気熱交換部１０Ａの内部には、外気Ａ１と熱交換を行う外気用熱交換器１８と、外気取り込み口１２ｅ、外気用熱交換器１８、外気排出口１２ｆの順に外気Ａ１が流れる流れを発生させるクロスフローファン２０とが配置されている。
【００３７】
空気調和機１０の室内空気熱交換部１０Ｂは、空気調和機１０の外気熱交換部１０Ａの上方に位置する。また、その内部には、室内空気Ａ２と熱交換を行う室内空気用熱交換器２２と、室内空気吸い込み口１２ｇ、室内空気用熱交換器２２、室内空気吹き出し口１２ｈの順に室内空気Ａ２が流れる流れを発生させるシロッコファン２４とが配置されている。
【００３８】
外気用熱交換器１８は、図４に示すように、複数の外気取り込み口１２ｅに沿って設けられている。また、外気用熱交換器１８は、冷媒配管（図示せず）および四方弁（図示せず）を介して圧縮機１６および室内空気用熱交換器２２に熱的に接続されている。すなわち、圧縮機１６、四方弁、外気用熱交換器１８、室内空気用熱交換器２２、およびそれらを接続する冷媒配管を冷媒が流れる冷凍サイクルが構成されている。
【００３９】
クロスフローファン２０は、図４に示すように、鉛直方向（Ｚ軸方向）に延在する回転中心線Ｃ１を中心として回転するようにモータ２６によって駆動される。なお、モータ２６は、図２に示すように、収容部１０Ｄ内に配置されている。また、収容部１０Ｄ内の圧縮機１６に対して水平方向（Ｘ軸方向およびＹ軸方向）に並ぶように配置されている。これにより、モータ２６が圧縮機１６の上方に配置される場合に比べて、空気調和機１０（筐体１２）の鉛直方向（Ｚ軸方向）のサイズが小さくされる。また、制御基板１４は、モータ２６より正面１２ｂ側に配置されることが、空気調和機１０（筐体１２）の鉛直方向（Ｚ軸方向）のサイズが小さくすることと、制御基板１４のメンテナンス性の向上の上で望ましい。
【００４０】
また、クロスフローファン２０は、外気用熱交換器１８を挟んで複数の外気取り込み口１２ｅと対向するように、筐体１２内（外気熱交換部１０Ａ）に配置されている。
【００４１】
それにより、モータ２６によってクロスフローファン２０が回転すると、筐体１２の背面１２ａおよび左側面１２ｃに形成された複数の外気取り込み口１２ｅを介して外気Ａ１が筐体１２内（外気熱交換部１０Ａ内）に取り込まれ、外気用熱交換器１８内を通過する。その結果、外気Ａ１は外気用熱交換器１８と熱交換する。
【００４２】
外気用熱交換器１８を通過した熱交換後の外気Ａ１は、クロスフローファン２０に取り込まれ、筐体１２の背面１２ａと右側面１２ｄとの間の角部に形成された外気排出口１２ｆを介して筐体１２の外部に排出される。
【００４３】
本実施の形態１の場合、筐体１２の背面１２ａが壁Ｗの外側面Ｗ１に対して略平行に且つ間隔をあけて対向するように空気調和機１０が設置されたとき、壁Ｗの外側面Ｗ１に交差する方向に熱交換後の外気Ａ１を排出するように外気排出口１２ｆは構成されている。
【００４４】
具体的には、外気排出口１２ｆから排出された熱交換後の外気Ａ１が外気取り込み口１２ｅを介して再び筐体１２内に取り込まれないように、外気排出口１２ｆは、外気取り込み口１２ｅに対して離間する方向に熱交換後の外気Ａ１を排出するように構成されている。本実施の形態１の外気排出口１２ｆによれば、図４に示すように、外気排出口１２ｆから排出された外気Ａ１は、壁Ｗの外側面Ｗ１に交差する方向に、外側面Ｗ１に向かって流れる。そして、筐体１２の背面１２ａと壁Ｗの外側面Ｗ１との対向領域とは反対方向に、外側面Ｗ１に沿って外気Ａ１は流れる。
【００４５】
このように壁Ｗの外側面Ｗ１を利用することにより、熱交換後の外気Ａ１が、筐体１２の背面１２ａに形成された外気取り込み口１２ｅを介して直接的に筐体１２内に取り込まれることが抑制される。その結果、空気調和機１２の空調効率（熱交換効率）の低下が抑制される。
【００４６】
なお、外気を筐体１２内に空気を取り込むための外気用ファンとして、鉛直方向（Ｚ軸方向）に延在する回転中心線Ｃ１を中心として回転するクロスフローファン２０を使用する理由の１つは、プロペラファンを使用する場合に比べて筐体１２の設置面積を小さくすることができることである。また、別の理由は、プロペラファンを外気用ファンとして使用した場合には円形状の外気取り込み口を設ける必要があり、その円形状の外気取り込み口が建物のデザイン性を大きく損ねるからである。
【００４７】
図２および図３に示すように、空気調和機１０の室内空気熱交換部１０Ｂには、筐体１２の背面１２ａに形成された室内空気吸い込み口１２ｇと室内空気吹き出し口１２ｈとを連絡する内部流路２８が形成されている。この内部流路２８内に室内空気用熱交換器２２とシロッコファン２４が配置されている。この内部流路２８内を空気吸い込み口１２ｇから空気吹き出し口１２ｈに向かって室内空気Ａ２が流れる。
【００４８】
本実施の形態１の場合、シロッコファン２４は、空気調和機１０（筐体１２）と壁Ｗとの対向方向（Ｘ軸方向）に延在する回転中心線Ｃ２を中心にして回転するようにモータ３０によって駆動される。そのシロッコファン２４に対して室内空気Ａ２の流れ方向の上流側に室内空気用熱交換器２２が配置される。
【００４９】
本実施の形態１の場合、シロッコファン２４の回転軸を、Ｘ軸方向に延在するように設けているため、回転軸をＹ軸方向に延在するように設けた場合と比較して、シロッコファン２４の側面（回転中心線Ｃ２と垂直な面）に対向して設けられる室内空気用熱交換器２２の全面面積を大きくすることができる。また、シロッコファン２４のファン径を大きくすることができる。
【００５０】
また、室内空気用熱交換器２２の下方には、室内空気用熱交換器２２から落下する結露水を受け水受け皿（図示せず）が設けられている。水受け皿に溜まった水は、排水経路（図示せず）を通じて、筐体１２の外部に排水される。なお、水受け皿に溜まった水は、排水経路を通じて、外気用熱交換器１８の表面に散布するようにしてもよい。本実施の形態１の場合、外気用熱交換器１８は、室内空気用熱交換器２２より上部に設けられているため、水を重力により外気用熱交換器１８の表面に導くことができる。
【００５１】
モータ３０によってシロッコファン２４が回転すると、室内空気Ａ２が室内空気吸い込み口１２ｇを介して室内空気用熱交換部１０Ｂの内部流路２８内に流入する。内部流路２８内に流入した室内空気Ａ２は、室内空気用熱交換器２２を通過する。その結果、室内空気Ａ２は室内空気用熱交換器２２と熱交換する。室内空気用熱交換器２２と熱交換した室内空気Ａ２はシロッコファン２４に取り込まれ、室内空気吹き出し口１２ｈを介して室内に吹き出される。これにより、室内が空気調和機１０によって空調される。
【００５２】
本実施の形態１の場合、室内空気用熱交換器２２は、シロッコファン２４より空気調和機１０（筐体１２）の正面１２ｂ側に配置されているので、図３に示すように、内部流路２８の一部を構成するＸ方向に延在する直線状流路を長くすることができる。これにより、内部流路２８の一部を構成するＺ方向に延在する直線状流路２８ａを介して、室内空気用熱交換器２２に導かれる空気の流速分布を均一化できる。
【００５３】
空気調和機１０の室内空気吸い込み口１２ｇと室内空気吹き出し口１２ｈは、図１に示すように、連結部４０および流路構造体４２を介して室内に連絡される。
【００５４】
連結部４０は、図１および図３に示すように、空気調和機１０の筐体１２の背面１２ａと壁Ｗの外側面Ｗ１との間に配置されている。
【００５５】
連結部４０はまた、直方体形状であって、その内部に、筐体１２の背面１２ａに形成された室内空気吸い込み口１２ｇと壁Ｗを室外から室内に向かって貫通する吸い込み穴４２ａとを連絡する吸い込み用内部流路４０ａを備える。吸い込み用内部流路４０ａは、室内空気吸い込み口１２ｇと連結するために、水平方向（Ｙ軸方向）に長い長方形形状の断面を備え、筐体１２と壁Ｗとの対向方向（Ｘ軸方向）に延在する。
【００５６】
連結部４０はさらに、筐体１２の室内空気吹き出し口１２ｈと壁Ｗを室外から室内に向かって貫通する吹き出し穴４２ａとを連絡する吹き出し用内部流路４０ｂを備える。吹き出し用内部流路４０ｂは、室内空気吸い込み口１２ｇの下方に位置する室内空気吹き出し口１２ｈと連結するために、水平方向（Ｙ軸方向）に長い長方形形状の断面を備え、吸い込み用内部流路４０ｂに対して下方を且つ平行に延在する。
【００５７】
室内空気Ａ２を筐体１２内に吸い込むための吸い込み用内部流路４０ａと熱交換後の室内空気Ａ２を室内に吹き出すための吹き出し用内部流路４０ｂとを一体的に備えた連結部４０により、壁Ｗを備える建物のデザイン性が損なわれることが抑制される（すなわち、室内空気吸い込み口１２ｇと吸い込み穴４２ａとを連結するダクト（流路）および室内空気吹き出し口１２ｈと吹き出し穴４２ｂとを連結するダクト（流路）が別々に構成される場合に比べて）。
【００５８】
また、本実施の形態１の場合、連結部４０は筐体１２の背面１２ａと壁Ｗの外側面Ｗ１との間に配置されるため、空気調和機１０と壁Ｗとの対向方向（Ｘ軸方向）に空気調和機１０および壁Ｗを見たときには、連結部４０は視認されない。
【００５９】
このような連結部４０により、壁Ｗと空気調和機１０とがデザイン的に調和し、住居などの建物のデザイン性が損なわれることが抑制される。
【００６０】
なお、図５に示すように、連結部４０が四角形形状の断面を備え、吸い込み用内部流路４０ａおよび吹き出し用内部流路４０ｂが同一の四角形形状の流路断面を備えて鉛直方向（Ｚ軸方向）に並んで連結部４０内を平行に延在する場合、その断面のアスペクト比（縦Ｌ／横Ｓ）（すなわちＺ軸方向サイズ／Ｙ軸方向サイズ）は、約１〜２の範囲が好ましい。
【００６１】
連結部４０の内部には断熱材が収容され、その断熱材を貫通するように吸い込み用内部流路４０ａおよび吹き出し用内部流路４０ｂが鉛直方向（Ｚ軸方向）に並んだ状態で延在する。すなわち、連結部４０の外側表面、吸い込み用内部流路４０ａ、および吹き出し用内部流路４０ｂの間に断熱材が充填されている。
【００６２】
図６は、四角形形状の断面を備える連結部４０のアスペクト比に対する吸い込み用内部流路４０ａおよび吹き出し用内部流路４０ｂの圧力損失を示ししている。図７は、連結部４０のアスペクト比に対する断熱材の容積を示している。図８は、連結部４０のアスペクト比に対する連結部４０の体積を示している。なお、断熱材の容積は断熱材の使用量に相当し、連結部４０の体積は連結部４０のコンパクトさに相当する。したがって、断熱材の容積および連結部４０の体積は小さい方が好ましい。
【００６３】
図６〜図８に示すアスペクト比に対する連結部４０の特性は、連結部４０の長さが１ｍであって、風路面積（吸い込み用内部流路４０ａおよび吹き出し用内部流路４０ｂそれぞれの断面積）が０．０１ｍ２であって、且つ吸い込み用内部流路４０ａおよび吹き出し用内部流路４０ｂそれぞれを流れる空気の風速が１０ｍ／ｓである場合の特性である。
【００６４】
図６〜図８に示すように、連結部４０のアスペクト比が１になるまでは、圧力損失、断熱材の容積、および連結部４０の体積は減少する。アスペクト比が２に比べて大きくなると、圧力損失、断熱材の容積、および連結部４０の体積は増加する。したがって、連結部４０のアスペクト比は、圧力損失、断熱材の容積、および連結部４０の体積が小さくなる約１〜２の範囲が好ましい。このようなアスペクト比によれば、コンパクトなサイズで断熱効率に優れ、且つ圧力損失が小さい連結部４０を得ることができ、その結果、空気調和機１０は高い空調効率を得ることができる。
【００６５】
このような連結部４０の吸い込み用内部流路４０ａおよび吹き出し用内部流路４０ｂに連結される吸い込み穴４２ａおよび吹き出し穴４２ｂは、本実施の形態１の場合、壁Ｗに直接的に形成されていない。吸い込み穴４２ａおよび吹き出し穴４２ｂは、壁Ｗ内に嵌め込まれ、壁Ｗの一部を構成する流路構造体４２に形成されている。
【００６６】
本実施の形態１の場合、流路構造体４２は、図１および図９に示すように室外と室内とを連通するように壁Ｗに形成された、長方形状の断面を備える貫通穴状の取り付け穴Ｗ３に挿通される直方体形状の本体部４２ｃと、壁Ｗの内側面Ｗ２に取り付けられる化粧パネル４２ｄとを備える。
【００６７】
吸い込み穴４２ａおよび吹き出し穴４２ｂは、本体部４２ｃと化粧パネル４２ｄとを貫通することによって室外と室内とを連絡する。
【００６８】
流路構造体４２の本体部４２ｃは、箱状であって、その内部に断熱材を有する。その断熱材を貫通するように吸い込み穴４２ａおよび吹き出し穴４２ｂは形成されている。
【００６９】
また、流路構造体４２の本体部４２ｃ内で、吸い込み穴４２ａおよび吹き出し穴４２ｂの断面形状は、室外側から室内側に向かうにしたがって変化する。
【００７０】
具体的に説明すると、本実施の形態１の場合、筐体１２の室内空気吸い込み口１２ｇおよび室内空気吹き出し口１２ｈは、それぞれ水平方向（Ｙ軸方向）に長い長方形形状の開口であって、鉛直方向（Ｚ軸方向）に並んでいる。このような室内空気吸い込み口１２ｇおよび室内空気吹き出し口１２ｈと連結部４０（その内部流路４０ａ、４０ｂ）を介して連結するために、吸い込み穴４２ａおよび吹き出し穴４２ｂそれぞれの室外側の開口は、水平方向（Ｙ軸方向）に長い長方形形状を備える。
【００７１】
一方、吸い込み穴４２ａおよび吹き出し穴４２ｂの室内側の開口（すなわち化粧パネル４２ｄに形成された開口）は、それぞれ鉛直方向（Ｚ軸方向）に長い長方形形状を備え、鉛直方向に並んでいる。
【００７２】
すなわち、吸い込み穴４２ａおよび吹き出し穴４２ｂは、四角形形状の断面のアスペクト比（縦（Ｚ軸方向サイズ）／横（Ｙ軸方向サイズ））が変化しながら、室外から室内に向かって延在している。
【００７３】
流路構造体４２の化粧パネル４２ｄは、壁Ｗの内側面Ｗ２に取り付けられ、本体部４２ｃと壁Ｗの取り付け穴Ｗ３との隙間を覆う。また、化粧パネル４２ｄには、空気調和機１０をユーザが操作するためのスイッチなどの操作部（図示せず）が設けられている。あるいは、空気調和機１０を遠隔操作するためのリモートコントローラから出射される信号、例えば赤外線信号を受光する受光部が設けられる。化粧パネル４２ｄに設けられた操作部は、流路構造体４２および連結部４０を介して筐体１２内の制御基板１４に電気的に接続される。
【００７４】
このような流路構造体４２によれば、吸い込み穴４２ａおよび吹き出し穴４２ｂそれぞれを直接的に壁Ｗに形成する場合に比べて、空気調和機１０の施行が容易になる。特に、本実施の形態１のように、吸い込み穴４２および吹き出し穴４２ｂが室外から室内に向かうにしたがってその断面形状が変化する場合、特に空気調和機１０の施行が容易になる。
【００７５】
また、図１に示すように、流路構造体４２が筐体１２の背面１２ａに対向するように壁Ｗに嵌め込まれることにより、空気調和機１０と壁Ｗとの対向方向（Ｘ軸方向）に空気調和機１０および壁Ｗを見たときには、流路構造体４２は視認されない。このような流路構造体４２により、壁Ｗを備える住居などの建物のデザイン性が損なわれることが抑制される。
【００７６】
図２および図３に示すように、本実施の形態１の場合、空気調和機１０において、換気部１０Ｃは最上部に配置されている。
【００７７】
空気調和機１０の換気部１０Ｃは、外気Ａ１を室内に供給しつつ、室内空気Ａ２を室外に排出することにより、室内の換気を行うように構成されている。そのために、換気部１０Ｃは、外気Ａ１を吸い込むための外気吸い込み口５０と、外気吸い込み口５０から室内に向かう外気Ａ１の流れを発生させるファン５２と、室内空気Ａ２を室外に排出するための室内空気吹き出し口５４と、室内から室内空気吹き出し口５４に向かう室内空気Ａ２の流れを発生させるファン５６とを有する。これに加えて、換気部１０Ｃは、室内に供給される外気Ａ１と室外に排出される室内空気Ａ２との間で熱交換を行うための換気用熱交換器５８を有する。
【００７８】
図２、図３、および図１０に示すように、換気部１０Ｃの外気吸い込み口５０および室内空気排出口５４は、筐体１２の背面１２ａの上側部分に、水平方向（Ｙ軸方向）に並んだ状態で形成されている。
【００７９】
なお、図３に示すように、外気吸い込み口５０にＨＥＰＡ（Ｈｉｇｈ  Ｅｆｆｉｃｉｅｎｃｙ  Ｐａｒｔｉｃｕｌａｔｅ  Ａｉｒ）フィルタなどのフィルタ６０を設け、微粒子などの室内への侵入を抑制してもよい。
【００８０】
外気吸い込み口５０は、図２および図３に示すように、換気部１０Ｃ内に形成された内部流路６２を介して、室内空気用熱交換部１０Ｂの内部流路２８における室内空気用熱交換器２２の上流側に接続されている。この内部流路６２内に、外気吸い込み口５０側から順に、換気用熱交換器５８、ファン５２が配置されている。本実施の形態１の場合、ファン５２はシロッコファンである。
【００８１】
一方、室内空気排出口５４は、図３および図１０に示すように、換気部１０Ｃ内に形成された内部流路６４を介して、室内空気用熱交換部１０Ｂの内部流路２８における室内空気用熱交換器２２の上流側に接続されている。図２に示すように、この内部流路６４と内部流路２８との接続部は、内部流路６２と内部流路２８との接続部に比べて、筐体１２の室内空気吸い込み口１２ｇに近い位置に位置する。また、内部流路６４内に、室内空気排出口５４から順に、換気用熱交換器５８、ファン５６が配置されている。本実施の形態１の場合、ファン５６はシロッコファンである。
【００８２】
本実施の形態１の場合、換気部１０Ｃ内に形成された内部流路６２と内部流路６４は、室内空気用熱交換器２２の上流側の内部流路２８に接続されているため、室内空気用熱交換器２２の下流側の内部流路２８に接続される場合と比較して、室内空気用熱交換器２２で熱交換した熱を室外に排出してしまうことがなく効率的である。
【００８３】
さらに、本実施の形態１の場合、換気部１０Ｃの２つのシロッコファン５２、５６は、筐体１２と壁Ｗとの対向方向（Ｘ軸方向）に延在する共通の回転中心線Ｃ３を中心として回転するとともに、共通のモータ６６によって駆動される。１つのモータ６６によって２つのシロッコファン５２、５６が駆動されることにより、１つのモータを省略することができる。
【００８４】
なお、図３に示すように、外気吸い込み口５０にＨＥＰＡフィルタなどのフィルタ６０が設けられる場合、吸気抵抗を考慮して、外気Ａ１を吸い込むためのファン５２を、室内空気Ａ２を排出するためのファン５６に比べて大型化するのが好ましい。
【００８５】
このような空気調和機１０の換気部１０Ｃによれば、室内を空調しながら室内を換気することができる。なお、室内を空調せずに室内の換気のみを行う場合、圧縮機１６とクロスフローファン２０とが停止した状態で、３つのシロッコファン２４、５２、５６が回転する。これにより、図３に示すように、室内空気Ａ１が、流路構造体４２の吸い込み穴４２ａ、連結部４０の吸い込み用流路４０ａ、室内空気用熱交換部１０Ｂの内部流路２８、換気部１０Ｃの内部流路６４（シロッコファン５６および換気用熱交換器５８）、および室内空気排出口５４を順に通過して、室外に排出される。また、外気Ａ１が、外気吸い込み口５０、換気部１０Ｃの内部流路６２（換気用熱交換器５８およびシロッコファン５２）、室内空気用熱交換部１０Ｂの内部流路２８（室内空気用熱交換器２２およびシロッコファン２４）、連結部４０の吹き出し用内部流路４０ｂ、および流路構造体４２の吹き出し穴４２ｂを順に通過して、室内に供給される。
【００８６】
本実施の形態１の場合、上側に内部流路２８を備えた室内空気用熱交換部１０Ｂの上方に、下側に内部流路６４を備えた換気部１０Ｃを設けたため、内部流路６４を出た空気を室内空気引き出し口１２ｈに導くための流路を別途設けることなく、内部流路２８を利用することができるため、空気調和機１０（筐体１２）の鉛直方向（Ｚ軸方向）のサイズを小さくできる。
【００８７】
加えて、本実施の形態１の空気調和機１０は、室内空気吸い込み口１２ｇおよび室内空気吹き出し口１２ｈの鉛直方向（Ｚ軸方向）位置が変更可能に構成されている。
【００８８】
住居などの建物の構造上の制約によりおよび／またはユーザの好みにより、壁Ｗに対する流路構造体４２の鉛直方向（Ｚ軸方向）の取り付け位置、すなわち流路構造体４２の吸い込み穴４２ａおよび吹き出し穴４２ｂそれぞれの室内側の開口の鉛直方向の位置は、様々な位置を取りうる。
【００８９】
この対処として、本実施の形態１の空気調和機１０の筐体１２は、図１１および図１２に示すように、上下方向に分割可能に構成されている。
【００９０】
具体的には、本実施の形態１の場合、筐体１２は、上側ユニット１２ｉと下側ユニット１２ｊとに分割可能に構成されている。上側ユニット１２ｉは、室内空気吸い込み口１２ｇおよび室内空気吹き出し口１２ｈを備える。一方、下側ユニット１２ｊは、室内空気用熱交換器２２およびシロッコファン２４を備える。
【００９１】
また、室内空気吸い込み口１２ｇと室内空気用熱交換器２２との間には、内部流路２８の一部を構成し、鉛直方向（Ｚ軸方向）に延在する直線状流路２８ａが存在し、シロッコ願２４と室内空気吹き出し口１２ｈとの間には、内部流路２８の一部を構成し、鉛直方向に延在する直線状流路２８ｂが存在する。これらの直線状流路２８ａ、２８ｂを分断するように、筐体１２は、上側ユニット１２ｉと下側ユニット１２ｊとに分割可能に構成されている。
【００９２】
上側ユニット１２ｉと下側ユニット１２ｊとの間には、上側ユニット１２ｉの室内空気吸い込み口１２ｇおよび室内空気吹き出し口１２ｈの鉛直方向（Ｚ軸方向）の位置合わせを行うための延長ユニット１２ｋが選択的に配置される。様々な高さの延長ユニット１２ｋを用意すれば、上側ユニット１２ｉの室内空気吸い込み口１２ｇと室内空気吹き出し口１２ｈを所望の鉛直方向位置に位置合わせすることができる。
【００９３】
または、延長ユニット１２ｋを発砲スチロールなどの切断容易な断熱材で構成し、空気調和機１０を設置する際に、建物の構造上の制約にあわせて、延長ユニット１２ｋを切断して配置すれば、上側ユニット１２ｉの室内空気吸い込み口１２ｇと室内空気吹き出し口１２ｈを所望の鉛直方向位置に位置合わせすることができる。なお、この場合には、延長ユニット１２ｋを覆うカバーを別途、設けることで、デザイン性が損なわれることが抑制される。
【００９４】
また、延長ユニット１２ｋには、上側ユニット１２ｉ側の直線状流路２８ａの部分２８ａ１と下側ユニット１２ｊ側の直線状流路２８ａの部分２８ａ２とを連絡する延長流路２８ａ３と、上側ユニットｉ側の直線状流路２８ｂの部分２８ｂ１と下側ユニット１２ｊ側の直線状流路２８ｂの部分２８ｂ２とを連絡する延長流路２８ｂ３とを有する。
【００９５】
この延長ユニット１２ｋの延長流路２８ａ３、２８ｂ３により、上側ユニット１２ｉと下側ユニット１２ｊとの間に延長ユニット１２ｋが介在しても、室内吸い込み口１２ｇから室内吹き出し口１２ｈまで室内空気Ａ２が流れる内部流路２８が構成される。
【００９６】
なお、本実施の形態１の場合、上側ユニット１２ｉと延長ユニット１２ｋとの間から室内空気Ａ２が漏れないように、延長ユニット１２ｋの延長流路２８ａ３、２８ｂ３の上側ユニット１２ｉ側の開口を囲むリング状のシール部材７０、７２が延長ユニット１２ｋに設けられている。また、延長ユニット１２ｋと下側ユニット１２ｊとの間から室内空気Ａ２が漏れないように、下側ユニット１２ｊの直線状流路２８ａ、２８ｂの開口を囲むシール部材７４、７６が設けられている。
【００９７】
なお、上述のように、延長ユニット１２ｋを切断して配置する仕様の場合には、シール部材７４、７６は、延長ユニット１２ｋではなく、上側ユニット１２ｉや下側ユニット１２ｊに設けるほうが望ましい。また、本実施の形態１の場合、上側ユニット１２ｉを下側ユニット１２ｊから分離できる構成であるため、空気調和機１０の製造時や、輸送時の取り扱いが容易となる。
【００９８】
本実施の形態１によれば、空気調和機１０によって建物のデザイン性が損なわれることを抑制することができる。すなわち、外気取り込み口１２ｅおよび外気排出口１２ｆが筐体１２の背後側に形成されているため、さらに連結部４０および流路構造体４２が筐体１２の背面１２ａに対向するため（すなわち筐体１２によって隠れるため）、空気調和機１０は、住居などの建物の壁Ｗとデザイン的に調和することができる。その結果、空気調和機１０によって建物のデザイン性が損なわれることが抑制される。
【００９９】
（実施の形態２）
本実施の形態２に係る空気調和機は、上述の実施の形態１と略同一の構成を有する。したがって、異なる点を中心に、本実施の形態２に係る空気調和機を説明する。なお、実施の形態１と同一の構成要素には同一の符号が付されている。
【０１００】
図１３および図１４に示すように、本実施の形態２に係る空気調和機１１０の室内空気熱交換部１１０Ｂにおける室内空気吸い込み口１１２ｇおよび室内空気吹き出し口１１２ｈは、壁Ｗの外側面Ｗ１に対向する筐体１１２の背面１１２ａではなく、右側面１１２ｄに形成されている。そのために、連結部１４０の形状が、直線状の実施の形態１の連結部４０と異なり「Ｌ」字状である（すなわち、「Ｌ」字状の吸い込み用内部流路１４０ａおよび吹き出し用内部流路１４０ｂとを備える）。
【０１０１】
これにより、図１３に示すように流路構造体４２を空気調和機１１０の筐体１１２の背面１１２ａに対向するように配置できない場合であっても、空気調和機１１０の室内空気吸い込み口１１２ｇおよび室内空気吹き出し口１１２ｈと流路構造体４２の吸い込み穴４２ａおよび吹き出し穴４２ｂとを連絡することができる。
【０１０２】
本実施の形態２によれば、空気調和機１１０によって建物のデザイン性が損なわれることを抑制することができる。すなわち、外気取り込み口１２ｅおよび外気排出口１２ｆが筐体１２の背後側に形成されているため、空気調和機１１０は、住居などの建物の壁Ｗとデザイン的に調和することができる。その結果、空気調和機１１０によって建物のデザイン性が損なわれることが抑制される。
【０１０３】
なお、本実施の形態２では、室内空気吸い込み口１１２ｇおよび室内空気吹き出し口１１２ｈが、右側面１１２ｄに形成されているとして説明したが、左側面１２ｃに形成されている場合であっても、同様に連結部１４０を接続できる。
【０１０４】
（実施の形態３）
本実施の形態３に係る空気調和機は、遮断壁部以外は上述の実施の形態１と同一の構成を有する。したがって、遮断壁部について説明する。なお、実施の形態１と同一の構成要素には同一の符号が付されている。
【０１０５】
図１５に示すように、本実施の形態３に係る空気調和機２１０は、外気排出口１２ｆから排出された熱交換後の外気Ａ１が再び外気取り込み口１２ｅを介して筐体１２内に取り込まれないように、外気排出口１２ｆから外気取り込み口１２ｅへの外気Ａ１の流れを遮断する遮断壁部２８０を有する。
【０１０６】
例えば、筐体１２の背面１２ａにおける外気排出口１２ｆと外気取り込み口１２ｅとの間の筐体１２の部分に、筐体１２の外部に向かって突出する遮断壁部２８０が設けられる。この遮断壁部２８０は、空気調和機２１０が壁Ｗに沿って設置されたとき、壁Ｗの外側面Ｗ１と協働することにより、外気排出口１２から直接的に外気取り込み口１２ｅに向かう外気Ａ１の流れを遮断することができる。それにより、外気排出口１２ｆから排出された熱交換後の外気Ａ１が外気取り込み口１２ｅを介して直接的に筐体１２内に取り込まれることがさらに抑制される（遮断壁部２８０がない場合に比べて）。その結果、空気調和機２１０の空調効率の低下をさらに抑制することができる。なお、この遮断壁部２８０は、筐体１２に一体的に形成されてもよいし、筐体１２とは別体に構成されてもよい。
【０１０７】
本実施の形態３によれば、上述の実施の形態１と同様に、空気調和機２１０によって建物のデザイン性が損なわれることを抑制することができる。
【０１０８】
（実施の形態４）
本実施の形態４に係る空気調和機は、外気排出口以外は上述の実施の形態１と同一の構成を有する。したがって、外気排出口について説明する。なお、実施の形態１と同一の構成要素には同一の符号が付されている。
【０１０９】
図１６に示すように、本実施の形態４に係る空気調和機３１０における外気排出口３１２ｆは、筐体３１２の右側面３１２ｄに形成されている（実施の形態１と異なり、背面３１２ａには形成されていない）。また、外気排出口３１２ｆは、壁Ｗの外壁面Ｗ１に平行な方向（Ｙ軸方向）に熱交換後の外気Ａ１を排出するように構成されている。このような外気排出口３１２ｆによっても、熱交換後の外気Ａ１が筐体３１２の背面３１２ａに形成された外気取り込み口３１２ｅを介して直接的に筐体１２内に取り込まれることを抑制することができる。
【０１１０】
本実施の形態４によれば、上述の実施の形態１と同様に、空気調和機３１０によって建物のデザイン性が損なわれることを抑制することができる。
【０１１１】
以上、上述の４つの実施の形態を挙げて本発明を説明したが、本発明は上述の実施の形態に限定されない。
【０１１２】
例えば、上述の実施の形態の場合、室内空気Ａ２の流れを形成するファン２４は、シロッコファンであるが、これに限らない。例えば、プロペラファンであってもよい。
【０１１３】
例えば、上述の実施の形態の場合、筐体１２（１１２）の室内空気吸い込み口１２ｇ（１１２ｇ）が室内空気吹き出し口１２ｈ（１１２ｈ）対して上方に位置するが、逆であってもよい。この場合、対応するように、連結部４０（１４０）の吸い込み用内部流路４０ａ（１４０ａ）が吹き出し用内部流路４０ｂ（１４０ｂ）に対して下方に位置する。また同様に、流路構造体４２の吸い込み穴４２ａが吹き出し穴４２ｂに対して下方に位置する。
【０１１４】
ただし、室内空気吹き出し口１２ｈ（１１２ｈ）が室内空気吸い込み口１２ｇ（１１２ｇ）の上側に位置するとともに、室内空気用熱交換器２２がシロッコファン２４に比べて筐体１２（１１２）の正面１２ｂ（１１２ｂ）側に位置する場合、ファン２４から室内空気吹き出し口１２ｈ（１１２ｈ）までの流路と、室内空気吸い込み口１２ｇ（１１２ｇ）から室内空気用熱交換器２２までの流路とが、筐体１２（１１２）の側面視（Ｙ軸方向視）で交差する。その結果、筐体１２（１１２ｈ）内における流路構成が複雑になる。そのため、実施の形態２で説明したように、筐体１１２の右側面１１２ｄと左側面１２ｃのいずれにも連結部１４０を接続できるようにするためには、上述の実施の形態で説明したように、室内空気吸い込み口１２ｇ（１１２ｇ）が室内空気吹き出し口１２ｈ（１１２ｈ）の上側に位置するほうが望ましい。
【０１１５】
なお、室内空気吹き出し口１２ｈ（１１２ｈ）が室内空気吸い込み口１２ｇ（１１２ｇ）の上側に位置する場合、例えば図１７に示す空気調和機４１０の構成が考えられる。
【０１１６】
図１７に示す空気調和機４１０は、実施の形態２の空気調和機１１０の変形例であって、実施の形態２と同様に、筐体４１２の右側面（図面奥側）に室内空気吹き出し口４１２ｈと室内空気吸い込み口４１２ｇとを有する。
【０１１７】
また、図１７に示すように、室内空気用熱交換器２２は、シロッコファン２４より空気調和機４１０（筐体４１２）の背面４１２ａ側に配置される。これにより、シロッコファン２４から室内空気吹き出し口４１２ｈまでの流路４２８ｄと、室内空気吸い込み口４１２ｇから室内空気用熱交換器２２までの流路４２８ｃとが、筐体４１２の側面視（Ｙ軸方向視）で交差することがなくなる。なお、図１７に示すように、シロッコファン２４から室内空気吹き出し口４１２ｈまでの流路４２８ｃは、室内の換気のために外気Ａ１が流れる流路（シロッコファン５２から室内空気用熱交換器２２に向かう流路４６２に対して、筐体４１２の右側面側（図面奥側）を延在する。
【０１１８】
また例えば、上述の実施の形態の場合、筐体１２（１１２）の室内空気吸い込み口１２ｇ（１１２ｇ）と室内空気吹き出し口１２ｈ（１１２ｈ）は、鉛直方向（Ｚ軸方向）に並んでいるが、これと異なり水平方向（Ｙ軸方向（Ｘ軸方向））に並んでいてもよい。また、これらに連結する連結部４０（１４０）の吸い込み用内部流路４０ａ（１４０ａ）と吹き出し用内部流路４０ｂ（１４０ｂ）も、鉛直方向ではなく水平方向に並んでいてもよい。同様に、流路構造体４２の吸い込み穴４２ａと吹き出し穴４２ｂも、鉛直方向ではなく、水平方向に並んでいてもよい。
【０１１９】
さらに例えば、上述の実施の形態の場合、空気調和機１０（１１０、２１０、３１０）は、鉛直方向（Ｚ軸方向）に大きい略直方体形状であるが、これに限らない。例えば、円柱形状であってもよい。
【０１２０】
このように、本発明の実施の形態に係る空気調和機は様々な形態をとることが可能である。すなわち、本発明の実施の形態に係る空気調和機は、広義には、
室内と室外とを連絡する吸い込み穴および吹き出し穴を備える壁に対して間隔をあけて接近した状態で配置される一体型空気調和機であって、
筐体と、
筐体に形成され、外気を取り込む外気取り込み口と、
筐体内に収容され、外気と熱交換する外気用熱交換器と、
筐体に形成され、外気用熱交換器と熱交換した後の外気を排出する外気排出口と、
外気取り込み口、外気用熱交換器、外気排出口の順に外気が流れる流れを発生させる、鉛直方向に延在する回転中心線を中心として回転するクロスフローファンと、
筐体に形成され、壁の吸い込み穴を介して室内空気を吸い込む室内空気吸い込み口と、
筐体内に収容され、外気用熱交換器と熱的に接続され、室内空気と熱交換する室内空気用熱交換器と、
筐体に形成され、室内空気用熱交換器と熱交換した後の室内空気を壁の吹き出し穴を介して室内に吹き出す室内空気吹き出し口と、
室内空気吸い込み口、室内空気用熱交換器、室内空気吹き出し口の順に室内空気が流れる流れを発生させる室内空気用ファンと、
壁の吸い込み穴と筐体の室内空気吸い込み口とを連絡する吸い込み用内部流路および壁の吹き出し穴と筐体の室内空気吹き出し口とを連絡する吹き出し用内部流路を備える連結部と、を有し、
筐体と壁とが対向する方向に該筐体と壁とを見たときにおける該筐体の背後側に、外気取り込み口、外気排出口、室内空気吸い込み口、および室内空気吹き出し口が形成されている、一体型空気調和機である。
【０１２１】
さらにまた、上述の実施の形態の場合、空気調和機１０（１１０、２１０、３１０）は、室内を換気する換気部１０Ｃを備えるが、換気部１０Ｃはなくてもよい。すなわち、換気部は、ユーザによって選択的に空気調和機に取り付けられるオプションであってもよい。
【０１２２】
加えて、上述の実施の形態の場合、連結部４０（１４０）と流路構造体４２は別体であるが、これらは一体であってもよい。この場合、連結部４０（１４０）と流路構造体４２との間から室内空気Ａ１が漏れることがないため、空気調和機１０（１１０、２１０、３１０）の空調効率が向上する。
【０１２３】
加えてまた、外気排出口１２ｆ（３１２ｆ）は、熱交換後の外気Ａ１を水平方向に排出してもよいし、また下方向に排出してもよい。好ましくは、空気調和機近傍に位置するユーザの顔に熱交換後の外気が当たらない下方向に、外気排出口は熱交換後の外気を排出するのが好ましい。
【０１２４】
さらに加えて、上述の実施の形態の場合、外気取り込み口１２ｅ（３１２ｅ）は、筐体１２（１１２、３１２）の背面１２ａ（３１２ａ）および左側面１２ｃ（３１２ｃ）に形成されているが、これに限らない。例えば、筐体の右側面に形成されてもよい。ただし、この場合、外気排出口は左側面に形成される。これは、外気排出口から排出された熱交換後の外気が外気取り込み口に流入することを抑制するためである。
【０１２５】
さらに加えて、上述の実施の形態の場合、吸い込み穴４２ａおよび吹き出し穴４２ｂは流路構造体４２に形成されているが、それぞれの構造が単純であれば（例えば断面形状が一定の穴）、壁Ｗに形成されてもよい。
【産業上の利用可能性】
【０１２６】
本発明は、外気と熱交換する外気用熱交換器と室内空気と熱交換する室内熱交換器とが１つの筐体に収容されている一体型の空気調和機であれば適用可能である。
【符号の説明】
【０１２７】
１０    空気調和機（一体型空気調和機）
１２    筐体
１２ｅ  外気取り込み口
１２ｆ  外気吸い込み口
１２ｇ  室内空気吸い込み口
１２ｈ  室内空気吹き出し口
１８    外気用熱交換器
２０    クロスフローファン
２２    室内空気用熱交換器
２４    室内空気用ファン（シロッコファン）
４０    連結部
４０ａ  吸い込み用内部流路
４０ｂ  吹き出し用内部流路
Ｗ      壁
Ａ１    外気
Ａ２    室内空気
【図１】
2015203512.tif 000003
【図２】
2015203512.tif 000004
【図３】
2015203512.tif 000005
【図４】
2015203512.tif 000006
【図５】
2015203512.tif 000007
【図６】
2015203512.tif 000008
【図７】
2015203512.tif 000009
【図８】
2015203512.tif 000010
【図９】
2015203512.tif 000011
【図１０】
2015203512.tif 000012
【図１１】
2015203512.tif 000013
【図１２】
2015203512.tif 000014
【図１３】
2015203512.tif 000015
【図１４】
2015203512.tif 000016
【図１５】
2015203512.tif 000017
【図１６】
2015203512.tif 000018
【図１７】
2015203512.tif 000019